(57)【特許請求の範囲】
【請求項１】
冷蔵庫ドアの一方側に装着されるドアハンドルと、
該ドアハンドルの両方側面に装着されるホルダーと、
前記ドアハンドルを前記冷蔵庫ドアに装着させるブラケットと、
前記ブラケットと前記ホルダーとの相対揺動を防止するために、前記ホルダーに形成された固定溝と、
前記ブラケットに突出形成されて、前記固定溝に挿入される突出部と、を含んで構成されることを特徴とする冷蔵庫ドアのハンドル組立体。
【請求項２】
前記ドアハンドルの内周面から長さ方向に複数個突出される突条部と、
前記ホルダーの外周面に長さ方向に複数個形成されて、前記ドアハンドルの突条部に係合される固定スリットと、をさらに含んで構成されることを特徴とする請求項１記載の冷蔵庫ドアのハンドル組立体。
【請求項３】
前記固定溝及び突出部は、複数個形成されることを特徴とする請求項１記載の冷蔵庫ドアのハンドル組立体。
【発明の詳細な説明】
【０００１】
【発明の属する技術分野】
本発明は、冷蔵庫ドアのハンドル組立体に係るもので、詳しくは、冷蔵庫ドアにハンドル組立体を装着する時、ドアハンドルの揺動を防止して堅固に装着し得る冷蔵庫ドアのハンドル組立体に関するものである。
【０００２】
【従来の技術】
一般に、冷蔵庫は、冷凍物及び冷蔵物を貯蔵する装置で、家庭用及び産業用として広く使用される装置である。
そして、従来の冷蔵庫においては、食品が貯蔵される収納空間を有した本体１００と、該本体１００の前方側に開閉自在に軸支されたドア１１０と、を含んで構成され、該ドア１１０の前面には、該ドア１１０を開閉するためのハンドル組立体１が装着されている。
【０００３】
又、前記冷蔵庫ドアのハンドル組立体１は、図４に示したように、前記ドア１１０の前面に装着されるパイプ状のドアハンドル３と、該ドアハンドル３の両方側面にそれぞれ係合されるホルダー５と、それらドアハンドル３及び前記ホルダー５に係合されて、前記冷蔵庫ドア１１０の両方側にそれぞれ装着されるブラケット１５と、を含んで構成されている。
【０００４】
且つ、前記各ホルダー５は、一方側が開放された円筒状に形成される円筒部６と、該円筒部６の底面に該当して、該円筒部６が前記ドアハンドル３の両方端に挿入される時ストッパーの役割をする円板部７と、から構成されている。
又、前記円板部７の中心からは雌螺旋が内周面に切削形成されたパイプ状の締結ボス１３が立設されることで外周面に締結孔９が穿孔形成され、該締結孔９から前記ホルダー５の内部側に締結ボルト２５を挿入することで、前記ホルダー５と前記ブラケット１５とをドアハンドル３の両方端に係合するようになっている。
【０００５】
又、前記ブラケット１５は、その下方側に前記ドア１１０の両方側に螺合時にボルトが挿入される複数の締結孔２１が穿孔形成され、上方側には前記ホルダー５の円板部６が挿入される円筒状の結合溝１７が切削形成される。
且つ、前記結合溝１７には、前記ドアハンドル３の両方端に、前記ホルダー５の円板部７が挿入されて、締結ボルト２５によりホルダー５と前記ブラケット１５とがそのドアハンドル３の両方端に係合されるように、前記ホルダー３の締結孔９と対応する締結孔１９が穿孔形成される。
【０００６】
以下、このように構成された従来の冷蔵庫用ドアのハンドル組立体の組立過程に対して説明する。
まず、前記ドアハンドル３の両方端の内周面に前記ホルダー５の円筒部６をそれぞれ挿入した後、前記ホルダー５に前記ブラケット１５の結合溝１７を嵌合させ、前記ホルダー５の締結孔９及び前記ブラケット１５の締結孔１９に前記締結ボルト２５を挿入して、前記ホルダー５と前記ブラケット１５とを締結させる。このようにして組立が終了されたハンドル組立体１は、前記ブラケット１５の下方端の締結孔２１にボルトを挿入して前記冷蔵庫ドア１１０の前面に螺合させる。
【０００７】
【発明が解決しようとする課題】
以上説明したように、このような従来の冷蔵庫用ドアのハンドル組立体１は、前記ドアハンドル３に前記ホルダー５と前記ブラケット１５とが前記締結ボルト２５によって螺合されるが、前記ホルダー５は、ただ前記ドアハンドル３の両方端に挿入されて、何の掛止手段もないため、外部の小さな力によっても前記ドアハンドル３と前記ホルダー５とは相対揺動されるようになる。
【０００８】
従って、図５に示されたように、前記ハンドル組立体１を組立てる時、または前記ハンドル組立体１を前記冷蔵庫ドア１１０に螺合する時、前記ホルダー５と前記ドアハンドル３とは相互に揺動するようになり、堅固に固定されずに揺動されるため、度々修理を施すようになって極めて煩雑であるという不都合な点があった。
且つ、前記ハンドル組立体１を前記ドア１１０に螺合した後、使用者によって前記ドア１１０が開閉される場合、使用者が前記ドアハンドル３に力を加える方向に従って前記ドアハンドル３が揺動されるため、前記ドア３を迅速且つ確実に開閉し得ないという不都合な点があった。
【０００９】
本発明は、このような従来の課題に鑑みてなされたもので、冷蔵庫に螺合されたドアを開閉する時、外部の力が加えられるドアハンドルと該ドアハンドルをドアに螺合させるブラケット間に、前記ドアハンドルの揺動を防止する揺動防止手段を備えることで、前記ドアハンドルの揺動を防止して、前記ハンドル組立体を前記ドアに螺合する作業を簡単且つ容易に行い得る冷蔵庫用ドアのハンドル組立体を提供することを目的とする。
【００１０】
【課題を解決するための手段】
このような目的を達成するため、本発明に係る冷蔵庫用ドアのハンドル組立体においては、冷蔵庫ドアの一方側に係合されるドアハンドルと、該ドアハンドルの両方端に係合されるホルダーと、前記ドアハンドルを前記ドアに螺合させるブラケットと、前記ドアハンドルと前記ブラケットとの相対揺動を防止するために、前記ドアハンドルと前記ブラケット間に係合された揺動防止手段と、から構成されることを特徴とする。
【００１１】
【発明の実施の形態】
以下、本発明の実施の形態に対し、図面を用いて説明する。
図１は本発明に係る冷蔵庫用ドアのハンドル組立体の分解斜視図で、図２は本発明に係る冷蔵庫用ドアのハンドル組立体の組立状態を示した斜視図である。
図示されたように、本発明に係る冷蔵庫用ドアのハンドル組立体４０は、ドア（図示せず）の一方側に係合されたドアハンドル５０と、該ドアハンドル５０の両方側面端にそれぞれ係合されるホルダー６０と、それらドアハンドル５０及びホルダー６０にそれぞれ係合されて、前記冷蔵庫ドア１１０の両面に螺合されることで前記ドアハンドル５０を前記冷蔵庫ドア１１０に螺合させるブラケット７０と、から構成されている。
【００１２】
前記ドアハンドル５０は、前記冷蔵庫ドア１１０を開閉するために外部の力が加えられる部分で、例えば、パイプ状に形成され、該パイプの両方端の内周壁面には、後述する前記ホルダー６０の固定スリット６２に係合される複数の突条部５２が横手方向にそれぞれ切削形成される。
【００１３】
且つ、前記ホルダー６０は、一方側が開放された円筒状に形成されて、該開放された端部が前記ドアハンドル５０の両方端にそれぞれ挿入され、それら挿入される円筒側壁面に前記各突条部５２に対応する複数の固定スリット６２がそれぞれ切削形成され、それら固定スリット６２の形成された円筒側壁面の他方端には円板状の円板部６４が一体に形成され、該円板部６４の中央の円筒側壁面の内部中心を沿って前記ドアハンドル５０の内部中央側にパイプ状の締結ボス６８が両方円板部６４の中央にそれぞれ突成されることで、前記固定スリット６２が前記ドアハンドル５０の各突条部５２に係合され、よって、前記ドアハンドル５０と前記ホルダー６０との相対揺動を防止して前記ドアハンドル５０を冷蔵庫ドア１１０に堅固に固定させる役割をする。
【００１４】
又、前記ホルダー６０の円板部６４に突成されたパイプ状の締結ボス６８の内周壁面には、雌螺旋が切削された締結孔６６に穿孔形成され、この時、前記締結ボス６８は、前記ホルダー６０と前記ブラケット７０とが締結ボルト７５によって締結される部分の強度を補強する役割をする。
また、前記ホルダー６０の円板部６４の外側部位には複数の固定溝６９がそれぞれ穿孔形成されて、それら固定溝６９が後述する前記ブラケット７０の結合溝７２に突成された突出部７７に係合されるようになっている。
【００１５】
又、前記ブラケット７０は、下方端に前記冷蔵庫ドア１１０の両方側に螺合されるように複数の締結孔７９が穿孔形成され、上方端には前記ホルダー６０の円板部６４が挿合される円筒状の結合溝７２が切削形成されている。
且つ、前記結合溝７２は、前記ドアハンドル５０の両方端部に前記ホルダー６０の円板部６４を介して嵌合される部分で、前記結合溝７２の中央には、前記ホルダー６０を介して前記ブラケット７０が締結ボルト７５により螺合されるように、前記ホルダー６０の締結孔６６に対応して締結孔７３が穿孔形成される。
【００１６】
また、前記結合溝７２の内側には、前記ホルダー６０の円板部６４の各固定溝６９に挿入される各突出部７７が突成され、該突出部７７が前記ホルダー６０の固定溝６９に係合されることで前記ホルダー６０と前記ブラケット７０との相対揺動を防止される。
以下、このように構成された本発明に係る冷蔵庫用ドアのハンドル組立体の組立及び動作に対して説明する。
【００１７】
まず、前記ドアハンドル５０の両方端の内周面に前記ホルダー６０の円筒部６１の外周面をそれぞれ挿入すると、前記ホルダー６０の円板部６４が前記ドアハンドル５０の両方端に係止され、前記ドアハンドル５０の両方端の各突条部５２が前記ホルダー６０の各固定スリット６２に係合される。従って、前記ドアハンドル５０と前記ホルダー６０とは相互揺動されずに固定状態が堅固に維持される。
【００１８】
次いで、このようが状態で前記ホルダー６０の固定溝６９に前記ブラケット７０の突出部７７が挿入されるように、前記ホルダー６０に前記ブラケット７０の結合溝７２を嵌合した後、前記ホルダー６０の締結孔６６及び前記ブラケット７０の締結孔７３を通して、前記締結ボルト７５を挿入することで前記ホルダー６０と前記ブラケット７０とを締結させる。
従って、前記ドアハンドル５０及び前記ホルダー６０の組立体は、前記ブラケット７０と相対揺動せず、正確及び堅固に固定された状態を維持するようになる。
【００１９】
【発明の効果】
以上説明したように、本発明に係る冷蔵庫用ドアのハンドル組立体においては、前記ドアハンドル、前記ホルダー、及び前記ブラケットを相互組立てる時、前記ドアハンドルの両方端の内周面にそれぞれ切削形成された突条部を前記ホルダーに切削形成された固定スリットに係合させ、前記ホルダーの円板部に穿孔形成された固定溝を前記ブラケットの結合溝に突出形成された突出部に係合させることで、前記ドアハンドルと前記ホルダーとの相対揺動を防止すると共に、それらホルダーとブラケットとの相対揺動を防止することで、前記ハンドル組立体の組立作業と、該ハンドル組立体を前記ドアに螺合させる装着作業とを簡単且つ容易に行い得るという効果がある。
【図面の簡単な説明】
【図１】本発明に係る冷蔵庫用ドアのハンドル組立体の構成を示した分解斜視図である。
【図２】本発明に係る冷蔵庫用ドアのハンドル組立体の組立状態を示した斜視図である。
【図３】本発明に掛る冷蔵庫の外観を示した斜視図である。
【図４】従来の冷蔵庫用ドアのハンドル組立体の構成を示した分解斜視図である。
【図５】従来の冷蔵庫用ドアのハンドル組立体の構成を示した分解斜視図である。
【符号の説明】
４０…ハンドル組立体
５０…ドアハンドル
５２…突条部
６０…ホルダー
６２…固定スリット
６９…固定溝
７０…ブラケット
７５…締結ボルト
【図１】
0003704122.tif 000002
【図２】
0003704122.tif 000003
【図３】
0003704122.tif 000004
【図４】
0003704122.tif 000005
【図５】
0003704122.tif 000006